(57)【要約】  ファン用開口孔５３を有する服本体と組み合わせて使用され身体に装着される空調衣服用電気部品装着ユニット１００であって、空気を外部から服本体内に取り込むためのファン１と、ファン１を身体に装着するため装着手段（ベルト本体２１）と、ファン１を装着手段に取り付けるためのファン取付手段１５と、を備え、ファン１にはファン用開口孔５３と連結するためのファン側連結部（筒状連結部１６）が形成されるようにする。
2017154961.tif 000002
【特許請求の範囲】
【請求項１】
ファン用開口孔を有する服本体と組み合わせて使用され身体に装着される空調衣服用電気部品装着ユニットであって、
空気を外部から服本体内に取り込むためのファンと、
前記ファンを身体に装着するための装着手段と、
前記ファンを前記装着手段に取り付けるためのファン取付手段と、
を備え、
前記ファンには前記ファン用開口孔と連結するためのファン側連結部が形成されたことを特徴とする空調衣服用電気部品装着ユニット。
【請求項２】
前記ファンは、ファン本体と、前記ファン本体を収容するためのカバー部と、を備え、
前記ファン側連結部は、前記カバー部に形成された筒状連結部であることを特徴とする請求項１記載の空調衣服用電気部品装着ユニット。
【請求項３】
前記筒状連結部の空気取込側に上部フランジを備えるとともに、当該上部フランジの空気送出側に下部フランジを備え、
前記上部フランジと前記下部フランジとの間に形成された溝に前記ファン用開口孔を有する前記服本体の開口縁部が嵌め込まれることを特徴とする請求項２に記載の空調衣服用電気部品装着ユニット。
【請求項４】
前記装着手段は、紐、帯、又は、紐と帯の結合体からなるベルトであることを特徴とする請求項１〜３のいずれか一項に記載の空調衣服用電気部品装着ユニット。
【請求項５】
前記装着手段は、その一部又は全部が弾性を有すること或いは長さ調整手段を備えていることを特徴とする請求項４に記載の空調衣服用電気部品装着ユニット。
【請求項６】
前記服本体は、前開き型の衣服であり、左右の前身頃を開閉する開閉手段を備え、
前記装着手段の両端がそれぞれ前記左右の前身頃に取り付けられることにより、前記服本体が当該装着手段の一部をなし、前記開閉手段が当該装着手段の接続手段をなすことを特徴とする請求項４又は５に記載の空調衣服用電気部品装着ユニット。
【請求項７】
前記ファンは２つであり、前記２つのファンは電源ケーブルにより接続されていることを特徴とする請求項４〜６のいずれか一項に記載の空調衣服用電気部品装着ユニット。
【請求項８】
前記ファン取付手段は、前記装着手段に着脱自在に取り付けられることを特徴とする請求項４〜７のいずれか一項に記載の空調衣服用電気部品装着ユニット。
【請求項９】
前記装着手段に前記ファンが取り付けられた際に、当該ファンを当該装着手段の長手方向に沿って移動可能とする移動可能手段を備えることを特徴とする請求項４〜８のいずれか一項に記載の空調衣服用電気部品装着ユニット。
【請求項１０】
前記ファンに電力を供給するための電源部と電源ケーブルとを備え、
前記ファンと前記電源ケーブルと前記電源部とが連結されることにより、前記装着手段の一部として機能することを特徴とする請求項３に記載の空調衣服用電気部品装着ユニット。
【請求項１１】
前記ファンに電力を供給する電源部と、
前記電源部を前記装着手段に取り付けるための電源部取付手段と、
を備えることを特徴とする請求項１〜１０のいずれか一項に記載の空調衣服用電気部品装着ユニット。
【請求項１２】
前記ファンと前記ファンに電力を供給する電源部とが一体化されたユニット部を備えることを特徴とする請求項１〜３のいずれか一項に記載の空調衣服用電気部品装着ユニット。
【請求項１３】
前記ユニット部は、モーターと電源部を密封容器に閉じ込めることを特徴とする請求項１２に記載の空調衣服用電気部品装着ユニット。
【請求項１４】
前記ユニット部は、
背中に背負う、或いは胸に装着する電気部品装着板と、
前記電気部品装着板に前記ファンを着脱自在に固定するファン取付手段と、を備えたことを特徴とする請求項１２又は１３に記載の空調衣服用電気部品装着ユニット。
【請求項１５】
前記ファンの空気取込口の周辺には、外部から取り込む空気若しくは取り込まれた空気から体に有害な物質を除去する、当該空気に体に有用な物質を含ませる、又は、当該空気を冷却するための空気改善手段を備えていることを特徴とする請求項１２〜１４のいずれか一項に記載の空調衣服用電気部品装着ユニット。
【請求項１６】
前記ファンに電力を供給する電源部と、
ソーラーパネルと、を備え、
前記電源部には、前記ソーラーパネルによって発電した電気を使用又は蓄電するための蓄電手段が備えられていることを特徴とする請求項１〜１５のいずれか一項に記載の空調衣服用電気部品装着ユニット。
【請求項１７】
前記ファンに電力を供給する電源部と、
外部装置と通信を行う通信手段と、
前記通信手段を制御して前記外部装置から受信した指示に基づき前記電源部のＯＮ／ＯＦＦ、及び／又は、前記ファンの回転数を制御する制御手段と、
を備えることを特徴とする請求項１〜１６のいずれか一項に記載の空調衣服用電気部品装着ユニット。
【請求項１８】
前記ファンに電力を供給する電源部と、
バイタル情報を測定する測定手段と、
前記測定手段の測定結果に基づき前記電源部のＯＮ／ＯＦＦ、及び／又は、前記ファンの回転数を制御する制御手段と、
を備えることを特徴とする請求項１〜１７のいずれか一項に記載の空調衣服用電気部品装着ユニット。
【請求項１９】
外部装置と通信を行う通信手段を備え、
前記制御手段は、前記通信手段を制御して前記測定手段の測定結果を外部装置に送信することを特徴とする請求項１８に記載の空調衣服用電気部品装着ユニット。
【請求項２０】
請求項１〜１９のいずれか一項に記載の空調衣服用電気部品装着ユニットと、
前記ファン用開口孔を有するシート状素材で形成され、身体の少なくとも一部を覆う服本体と、
を備え、
前記ファンの前記筒状連結部を前記ファン用開口孔に嵌め込ませることを特徴とする空調衣服。
【請求項２１】
前記服本体の前記ファン用開口孔が形成された開口縁部の周辺は、伸縮性を有することを特徴とする請求項２０に記載の空調衣服。
【請求項２２】
前記ファンを前記服本体の前身頃に配置し、当該服本体の後ろ身頃と身体との間にスペーサを配することを特徴とする請求項２０又は２１に記載の空調衣服。
【請求項２３】
請求項４〜１０のいずれか一項に記載の空調衣服用電気部品装着ユニットと、
前記ファン用開口孔を有するシート状素材で形成され、身体の少なくとも一部を覆う服本体と、
を備え、
前記空調衣服用電気部品装着ユニットを構成する前記装着手段の両端が対応する前記服本体の開閉手段の近辺に取り付けられ、当該開閉手段を開状態から閉状態に移行させることにより、当該空調衣服用電気部品装着ユニットが身体に装着されることを特徴とする空調衣服。
【請求項２４】
前記服本体は、プラスチックフィルムで作製されたことを特徴とする請求項２０〜２３のいずれか一項に記載の空調衣服。
【請求項２５】
前記服本体は、空気排出部を備え、
前記空気排出部は、排出される空気の排出抵抗を調整するための排出抵抗調整手段を備えることを特徴とする請求項２０〜２４のいずれか一項に記載の空調衣服。
【発明の詳細な説明】
【技術分野】
【０００１】
本発明は、身体を冷却する空調衣服に用いられる空調衣服用電気部品装着ユニット及び空調衣服に関するものである。
【背景技術】
【０００２】
近年、身体を冷却する空調衣服が実用化され急激に普及しつつある。図３５Ａ及び図３５Ｂに示すように、従来の空調衣服１０１は、通気性の低い素材で縫製された服本体１１０と、服本体１１０の後側の下方に取り付けられた２つのファン１４０，１４０と、２つのファン１４０，１４０に電力を供給するための電源装置（不図示）と、電源装置と２つのファン１４０，１４０とを電気的に接続するための電源ケーブル（不図示）とを備える。【０００３】
ファン１４０を作動させると、大量の空気がファン１４０から服本体１１０内に取り込まれる。取り込まれた空気の圧力により服本体１１０と身体又は下着との間に空気流通路が自動的に形成され、取り込まれた空気は、形成された空気流通路を身体又は下着の表面に沿って上方に流通し、例えば、襟部の周囲や袖口部から外部に排出される。ここで、襟部の周囲や袖口部は、空気排出部１３０としての役割を果たしている。
そして、空気は、服本体１１０と身体又は下着との間の空気流通路を流通する間に身体から出た汗を蒸発させ、蒸発する時の気化熱により身体が冷却される（例えば、特許文献１参照）。
このような従来の空調衣服１０１では、ファン１４０の重みに耐えることができ、且つ、ファン１４０に各種方向からの圧力が加わっても、ファン１４０が服本体１１０から外れないように、様々な工夫が施されている。【０００４】
例えば、一般的な空調衣服１０１の場合、使用される服本体１１０の素材は布である。このような布は、伸縮性があるためファン１４０は小さな力で外れ易いので、ファン１４０の取付孔に特殊な加工、例えば、布にプラスチック板の補強板を縫製する等の加工を施すことにより、ファン１４０の重みにより布が破れず、且つ、ファン１４０を確実に固定可能にしている。
【先行技術文献】
【特許文献】
【０００５】
【特許文献１】国際公開２００５／０６３０６５号
【発明の概要】
【発明が解決しようとする課題】
【０００６】
しかしながら、従来の空調衣服１０１では、空調衣服の服本体１１０にファン１４０を取り付けるための特殊な取付孔を形成しなければならず、製造に手間が発生してしまうという問題点があった。また、ファン１４０や電源装置が服に取り付けられているため、電気部品の落下を完全には防止できない問題があった。【０００７】
また、ファン１４０を服本体１１０に取り付けることにより、空調衣服１０１が全体として重くなってしまい、或いは、ファン１４０の取付孔の近傍が、外気を取り込むことにより発生する陽圧により大きく膨らんでしまい、作業の妨げになってしまう場合があるといった問題点があった。【０００８】
さらに、ファン１４０が服本体１１０に取り付けられ、すなわち、ファン１４０が服本体１１０に宙吊状態になっているため、下記のような様々な問題があった。【０００９】
１  体を回転した時、遠心力によりファン１４０が身体からさらに離れ、周囲にぶつかる確率が増加する。
２  例えば、ファン１４０に物が衝突したり使用者が飛び跳ねた等、ファン１４０に各種方向から外力を受けた場合、ファン１４０やその内部には衝撃が加わり、その衝撃に耐えることのできる丈夫な構造にしなくてはならない。特に、衝撃によりプロペラが外れないようにプロペラとモーターの軸との嵌合力を強くしようとすると、プロペラをモーターの軸に圧入する際モーターの軸受けを変形させ、これにより雑音発生の原因となる。
３  プロペラが回転すると、プロペラの羽のアンバランス等により振動が発生する。また、振動はモーターの寿命や雑音の発生に悪影響を及ぼすものの、宙吊状態だと雑音を吸収する等の対策を打つことが容易でない。【００１０】
本発明の課題は、電気部品の落下を防止するとともに、空調衣服の服本体に特殊な取付孔を形成することなく容易にファンを取付可能な空調衣服用電気部品装着ユニット及び空調衣服を提供することにある。
【課題を解決するための手段】
【００１１】
上記課題を達成するため、請求項１に記載の発明は、
ファン用開口孔を有する服本体と組み合わせて使用され身体に装着される空調衣服用電気部品装着ユニットであって、
空気を外部から服本体内に取り込むためのファンと、
前記ファンを身体に装着するための装着手段と、
前記ファンを前記装着手段に取り付けるためのファン取付手段と、
を備え、
前記ファンには前記ファン用開口孔と連結するためのファン側連結部が形成されたことを特徴とする。【００１２】
請求項２に記載の発明は、請求項１に記載の空調衣服用電気部品装着ユニットにおいて、
前記ファンは、ファン本体と、前記ファン本体を収容するためのカバー部と、を備え、
前記ファン側連結部は、前記カバー部に形成された筒状連結部であることを特徴とする。【００１３】
請求項３に記載の発明は、請求項２に記載の空調衣服用電気部品装着ユニットにおいて、
前記筒状連結部の空気取込側に上部フランジを備えるとともに、当該上部フランジの空気送出側に下部フランジを備え、
前記上部フランジと前記下部フランジとの間に形成された溝に前記ファン用開口孔を有する前記服本体の開口縁部が嵌め込まれることを特徴とする。【００１４】
請求項４に記載の発明は、請求項１〜３のいずれか一項に記載の空調衣服用電気部品装着ユニットにおいて、
前記装着手段は、紐、帯、又は、紐と帯の結合体からなるベルトであることを特徴とする。【００１５】
請求項５に記載の発明は、請求項４に記載の空調衣服用電気部品装着ユニットにおいて、
前記装着手段は、その一部又は全部が弾性を有すること或いは長さ調整手段を備えていることを特徴とする。【００１６】
請求項６に記載の発明は、請求項４又は５に記載の空調衣服用電気部品装着ユニットにおいて、
前記服本体は、前開き型の衣服であり、左右の前身頃を開閉する開閉手段を備え、
前記装着手段の両端がそれぞれ前記左右の前身頃に取り付けられることにより、前記服本体が当該装着手段の一部をなし、前記開閉手段が当該装着手段の接続手段をなすことを特徴とする。【００１７】
請求項７に記載の発明は、請求項４〜６のいずれか一項に記載の空調衣服用電気部品装着ユニットにおいて、
前記ファンは２つであり、前記２つのファンは電源ケーブルにより接続されていることを特徴とする。【００１８】
請求項８に記載の発明は、請求項４〜７のいずれか一項に記載の空調衣服用電気部品装着ユニットにおいて、
前記ファン取付手段は、前記装着手段に着脱自在に取り付けられることを特徴とする。【００１９】
請求項９に記載の発明は、請求項４〜８のいずれか一項に記載の空調衣服用電気部品装着ユニットにおいて、
前記装着手段に前記ファンが取り付けられた際に、当該ファンを当該装着手段の長手方向に沿って移動可能とする移動可能手段を備えることを特徴とする。【００２０】
請求項１０に記載の発明は、請求項３に記載の空調衣服用電気部品装着ユニットにおいて、
前記ファンに電力を供給するための電源部と電源ケーブルとを備え、
前記ファンと前記電源ケーブルと前記電源部とが連結されることにより、前記装着手段の一部として機能することを特徴とする。【００２１】
請求項１１に記載の発明は、請求項１〜１０のいずれか一項に記載の空調衣服用電気部品装着ユニットにおいて、
前記ファンに電力を供給する電源部と、
前記電源部を前記装着手段に取り付けるための電源部取付手段と、
を備えることを特徴とする。【００２２】
請求項１２に記載の発明は、請求項１〜３のいずれか一項に記載の空調衣服用電気部品装着ユニットにおいて、
前記ファンと前記ファンに電力を供給する電源部とが一体化されたユニット部を備えることを特徴とする。【００２３】
請求項１３に記載の発明は、請求項１２に記載の空調衣服用電気部品装着ユニットにおいて、
前記ユニット部は、モーターと電源部を密封容器に閉じ込めることを特徴とする。【００２４】
請求項１４に記載の発明は、請求項１２又は１３に記載の空調衣服用電気部品装着ユニットにおいて、
前記ユニット部は、
背中に背負う、或いは胸に装着する電気部品装着板と、
前記電気部品装着板に前記ファンを着脱自在に固定するファン取付手段と、を備えたことを特徴とする。【００２５】
請求項１５に記載の発明は、請求項１２〜１４のいずれか一項に記載の空調衣服用電気部品装着ユニットにおいて、
前記ファンの空気取込口の周辺には、外部から取り込む空気若しくは取り込まれた空気から体に有害な物質を除去する、当該空気に体に有用な物質を含ませる、又は、当該空気を冷却するための空気改善手段を備えていることを特徴とする。【００２６】
請求項１６に記載の発明は、請求項１〜１５のいずれか一項に記載の空調衣服用電気部品装着ユニットにおいて、
前記ファンに電力を供給する電源部と、
ソーラーパネルと、を備え、
前記電源部には、前記ソーラーパネルによって発電した電気を使用又は蓄電するための蓄電手段が備えられていることを特徴とする。【００２７】
請求項１７に記載の発明は、請求項１〜１６のいずれか一項に記載の空調衣服用電気部品装着ユニットにおいて、
前記ファンに電力を供給する電源部と、
外部装置と通信を行う通信手段と、
前記通信手段を制御して前記外部装置から受信した指示に基づき前記電源部のＯＮ／ＯＦＦ、及び／又は、前記ファンの回転数を制御する制御手段と、
を備えることを特徴とする。【００２８】
請求項１８に記載の発明は、請求項１〜１７のいずれか一項に記載の空調衣服用電気部品装着ユニットにおいて、
前記ファンに電力を供給する電源部と、
バイタル情報を測定する測定手段と、
前記測定手段の測定結果に基づき前記電源部のＯＮ／ＯＦＦ、及び／又は、前記ファンの回転数を制御する制御手段と、
を備えることを特徴とする。【００２９】
請求項１９に記載の発明は、請求項１８に記載の空調衣服用電気部品装着ユニットにおいて、
外部装置と通信を行う通信手段を備え、
前記制御手段は、前記通信手段を制御して前記測定手段の測定結果を外部装置に送信することを特徴とする。【００３０】
請求項２０に記載の発明は、空調衣服において、
請求項１〜１９のいずれか一項に記載の空調衣服用電気部品装着ユニットと、
前記ファン用開口孔を有するシート状素材で形成され、身体の少なくとも一部を覆う服本体と、
を備え、
前記ファンの前記筒状連結部を前記ファン用開口孔に嵌め込ませることを特徴とする。【００３１】
請求項２１に記載の発明は、請求項２０に記載の空調衣服において、
前記服本体の前記ファン用開口孔が形成された開口縁部の周辺は、伸縮性を有することを特徴とする。【００３２】
請求項２２に記載の発明は、請求項２０又は２１に記載の空調衣服において、
前記ファンを前記服本体の前身頃に配置し、当該服本体の後ろ身頃と身体との間にスペーサを配することを特徴とする。【００３３】
請求項２３に記載の発明は、空調衣服において、
請求項４〜１０のいずれか一項に記載の空調衣服用電気部品装着ユニットと、
前記ファン用開口孔を有するシート状素材で形成され、身体の少なくとも一部を覆う服本体と、
を備え、
前記空調衣服用電気部品装着ユニットを構成する前記装着手段の両端が対応する前記服本体の開閉手段の近辺に取り付けられ、当該開閉手段を開状態から閉状態に移行させることにより、当該空調衣服用電気部品装着ユニットが身体に装着されることを特徴とする。【００３４】
請求項２４に記載の発明は、請求項２０〜２３のいずれか一項に記載の空調衣服において、
前記服本体は、プラスチックフィルムで作製されたことを特徴とする。【００３５】
請求項２５に記載の発明は、請求項２０〜２４のいずれか一項に記載の空調衣服において、
前記服本体は、空気排出部を備え、
前記空気排出部は、排出される空気の排出抵抗を調整するための排出抵抗調整手段を備えることを特徴とする。
【発明の効果】
【００３６】
本発明によれば、電気部品の落下を防止することができるとともに、空調衣服の服本体に特殊な取付孔を形成することなく容易にファンを取付可能な空調衣服用電気部品装着ユニット及び空調衣服を提供することができる。
【図面の簡単な説明】
【００３７】
【図１】第１実施形態の空調衣服用電気部品装着ユニットのファンの一例を示す概略側面図である。
【図２Ａ】電気部品取付ベルトの概略正面図である。
【図２Ｂ】ファンと電源部を取り付けた電気部品取付ベルト（空調衣服用電気部品装着ユニット）の概略正面図である。
【図２Ｃ】ファンと電源部を取り付けた電気部品取付ベルト（空調衣服用電気部品装着ユニット）の概略側面図である。
【図３】第１実施形態の空調衣服用電気部品装着ユニットを使用する服本体の一例を示す概略正面図である。
【図４】ファンを服本体に取り付けた状態を示す概略側面図である。
【図５】第１実施形態の空調衣服用電気部品装着ユニットを取り付けた服本体を着用した状態を示す概略正面図である。
【図６】ファンの他の一例を示す概略側面図である。
【図７】空調衣服用電気部品装着ユニットの他の状態の概略側面図である。
【図８】ファンを服本体に取り付けた他の状態を示す概略側面図である。
【図９】第２実施形態のファンの概略側面図である。
【図１０】第２実施形態の電源部の概略正面図である。
【図１１Ａ】電源ケーブルの端子と電源部の端子を結合する前の状態を示す概略図である。
【図１１Ｂ】電源ケーブルの端子と電源部の端子を結合した後の状態を示す概略図である。
【図１２】第２実施形態の空調ユニット全体の正面図である。
【図１３】空調ユニットを体に装着したときの概略正面図である。
【図１４】服を着用し、ファンとファン用開口孔を連結した概略図である。
【図１５Ａ】ファンと電源部とを一体化した第３実施形態のユニット部の一例を示す概略正面図である。
【図１５Ｂ】ファンと電源部とを一体化した第３実施形態のユニット部の一例を示す概略側面図である。
【図１６】ユニット部を背中に背負った状態を示す概略背面図である。
【図１７】ユニット部を背負い服本体を着用した状態を示す概略背面図である。
【図１８】ユニット部を背負い服本体を着用した状態を示す概略断面図である。
【図１９Ａ】変形例の装着部である電気部品装着板の概略正面図である。
【図１９Ｂ】変形例の装着部である電気部品装着板の概略側面図である。
【図２０】電源部の概略正面図である。
【図２１】ファンの概略側面図である。
【図２２】電源部を取り付けたファンを電気部品装着板に取り付けたユニット部の概略側面図である。
【図２３】第３実施形態の変形例のユニット部の回路ブロック図である。
【図２４Ａ】変形例の空調衣服を着用した時の概略正面図である。
【図２４Ｂ】変形例の空調衣服を着用した時の概略裏面図である。
【図２５Ａ】第４実施形態のフィルターや含水スポンジを使用する場合と同様の目的のオプション容器を取り付けたユニット部の概略側面図である。
【図２５Ｂ】雨が入らないようにした下側から外気を吸入するための雨避けカバーを取り付けたユニット部の概略側面図である。
【図２５Ｃ】ペレット状のドライアイス（冷却剤）等を入れる容器を取り付けたユニット部の概略側面図である。
【図２６】第４実施形態のユニット部の概略断面図である。
【図２７】含水用スポンジの概略正面図である。
【図２８】第５実施形態の空調衣服用電気部品装着ユニットを構成する電気部品取付ベルトの概略図である。
【図２９Ａ】第５実施形態のファンの概略側面図である。
【図２９Ｂ】第５実施形態のファンの概略裏面図である。
【図２９Ｃ】ベルト本体に取り付けられた状態のファンの概略裏面図である。
【図３０】第５実施形態の空調衣服用電気部品装着ユニットを取り付けた状態であって、前身頃を開いた状態の空調衣服を示す概略正面図である。
【図３１Ａ】第６実施形態の空調衣服を示す図であり、その服本体の概略正面部である。
【図３１Ｂ】第６実施形態の空調衣服を示す図であり、その服本体にファンを取り付け着衣したときのファンを取り付けた胴周りの概略断面図である。
【図３２】一体化されたファン及び電源ケーブルの一例を示す概略側面図である。
【図３３】電気部品取付ベルトのその他の一例を示す説明図である。
【図３４Ａ】空調衣服の服本体として半袖服を使用した場合の一例を示す説明図である。
【図３４Ｂ】空調衣服の服本体として長袖服を使用した場合の一例を示す説明図である。
【図３５Ａ】従来の空調衣服の一例を示す概略正面図である。
【図３５Ｂ】従来の空調衣服の一例を示す概略背面図である。
【発明を実施するための形態】
【００３８】
（実施形態）
以下に、図面を参照して、本願に係る発明を実施するための形態について説明する。但し、発明の範囲は、図示例に限定されない。
【００３９】
（第１実施形態）
本発明の空調衣服用電気部品装着ユニットを使用した空調衣服を、冷房のないスポーツ施設での観戦等にレンタルで使用する場合について説明する。また、服本体を使い捨てで使用する環境にやさしい空調衣服として使用する場合について説明する。
【００４０】
先ず、ファンについて説明する。
図１は、ファン１の概略側面図である。ファン１は、ファン本体ＦＮ１１と、ファン本体ＦＮ１１を収容するカバー部ＣＶ１１とを備える（カバー部ＣＶ１１は、空気取込部１１、筒状の連結部である筒状連結部１６、筒状連結部１６の途中から外側に突き出たフランジ１２、空気送出部１４、ファン取付手段１５を有する。）。例えば、ファン取付手段１５はファンの底面に形成された、後述するベルト本体を強力に挟み込む、激しい動きをした場合でも電気部品の落下を防止できる強力なクリップである。
【００４１】
ファン本体ＦＮ１１は、例えば、プロペラファンと当該プロペラファンを回転させるモーター等を有し、カバー部ＣＶ１１の内部に収容される。このようなカバー部ＣＶ１１は、互いに対向する空気取込部１１と空気送出部１４との間に筒状連結部１６が形成され、空気送出部１４の側にはファン取付手段１５が設けられる。
なお、筒状連結部１６は、空調衣服の服本体に形成されたファン用開口孔５３に差し込むことにより、ファン１と当該服本体を連結するためのファン側連結部として機能する。
また、筒状連結部１６と空気送出部１４との間には、フランジ１２が設けられる。また、フランジの上部の筒状連結部１６の外周面にはリング状の溝１６１が形成される。
【００４２】
次に、装着部である電気部品取付ベルト２について説明する。
図２Ａは、電気部品取付ベルト２の概略正面図である。ベルト本体（装着手段）２１は、ズボンに使用するベルトと略同一構造であり、体の側面に対応する部位で取着し、長さを調整できるように取付調整手段２３が構成されている。例えば、電気部品取付ベルト２は、幅６ｃｍ程度のベルトであり、適所に電源ケーブルの固定手段（不図示）を有している。
【００４３】
図２Ｂ及び図２Ｃは、ファン１と電源部３を取り付けた電気部品取付ベルト２（空調衣服用電気部品装着ユニット１００）の概略正面図及び概略側面図である。中央に電源部取付手段３１としてのクリップにより電源部３を取り付け、電源ケーブル４によりファン１と接続し、ファン１をファン取付手段１５としてのクリップにより取り付ける。このように、電気部品取付ベルト２に全ての電気部品が集積して取り付けられている。
【００４４】
次に、使い捨て用の服本体について説明する。
ここでは、服本体を既存の４５リットルのポリエチレン性の袋（以下、ポリ袋という。）を基に作る場合について説明する。
【００４５】
例えば、４５Ｌのポリ袋の寸法は横６５ｃｍ縦８０ｃｍであり、厚さ０．０２ｍｍの透明なものを使用する。
【００４６】
図３は、シール部を上にして服本体５を描いた概略正面図であり、点線は４５Ｌのポリ袋そのものを、実線は下記１〜３の切断や開口加工を行った服本体を表している。
１  服地５１、首周り５２を切断しランニングシャツの形状にする。
２  左右の腹部の下方の側部（中央からそれぞれ１５ｃｍの位置に）をファン１の
筒状連結部１６の径より少し小さな径で円形に切断しファン用開口孔５３を開口する。
３  裾の部位に裾部コード通し５４を形成する。
【００４７】
ここで、従来の空調衣服のファンの取付孔と、本実施形態のファン用開口孔５３の違いについて説明する。従来の空調衣服では、服本体にファンを取り付けている。このためファン１の取付孔では、前述のように、取付孔を十分に強化する必要がある。
【００４８】
これに対して、本発明ではファン１は、電気部品取付ベルト２に取り付けてあり、ファン１と、服本体５との間には力が加わることがないので、本実施形態では単に孔を開口するだけで済む。すなわち、服本体５にファン１を取り付けるための特殊な取付孔を形成する必要のない、また、電気部品の落下を完全に防止できる空調衣服用電気部品装着ユニット１００を提供することができる。
【００４９】
次に、貸し出しの準備について説明する。
２つのファン１と電源部３と電源ケーブル４が集積された電気部品取付ベルト２（空調衣服用電気部品装着ユニット１００）と、裾部コード通し５４にコードを取り付けた服本体５とを貸し出す。
【００５０】
次に、ユーザーが使用する手順を説明する。
先ず電気部品取付ベルト２（空調衣服用電気部品装着ユニット１００）を胴体に巻き、次に、服本体５を被る。
【００５１】
そして、ファン１の外側からファン用開口孔５３を筒状連結部１６に差し込み、フランジ１２の上に形成された溝１６１にファン用開口孔５３の縁を落とし込み、ファン用開口孔５３の縁をフランジ１２の上面に近接するようにファンの筒状連結部１６に連結する。ポリエチレンフィルムは素材そのものに伸縮性があるため容易に連結することができる。
【００５２】
図４は、ファン１とファン用開口孔５３の関係を説明する説明図である。
図４に示すように、服本体５に形成されたファン用開口孔５３の縁は、筒状連結部１６に差し込まれた後、筒状連結部１６であって筒状連結部１６の外周面よりも径の小さな溝１６１の部分に、落とし込まれるので、この状態で安定し、服本体５とファン１とを連結する。この場合、ファン１の筒状連結部１６がファン側連結部として機能することになる。
【００５３】
最後に、コードストッパー（不図示）により、裾部コード通し５４に通したコードを絞め、次に、電源部３を操作しファン１を作動させる。
【００５４】
図５は、水玉模様のＴシャツＴＳ５１の上に、電気部品取付ベルト２（空調衣服用電気部品装着ユニット１００）及び服本体５を着用して使用中の様子を示す概略正面図である。
【００５５】
裾部コード通し５４に通したコードを絞める（空気漏れ防止手段）と、ファン１により取り込まれた空気は、裾から漏れることはなく服本体５の内部に送風され、服本体５と下に着用しているＴシャツＴＳ５１との間の空間を陽圧にして、空気流通路が自動的に形成され、首周りと腕部（空気排出部として機能する）に向かって上方に移動して排出される。すなわち、服本体５内の空気を換気することになる。
【００５６】
空気の流通や、空気の流通による汗の蒸発による冷却効果は、従来の空調衣服と同様である。
【００５７】
また、服本体５がポリエチレンフィルムで作製されているため、従来の空調衣服では避けられなかった服本体５からの空気の漏れはない。さらに、服本体５は透明なため、ファン１、電源部３及び電源ケーブル４だけが見え、それ以外の部位では水玉模様のＴシャツＴＳ５１が透過して見えるので、外観上の違和感は大幅に緩和される。
【００５８】
なお、上記作製方法は既存の４５Ｌのポリ袋を基に作成する場合について説明したが、最初から空調衣服用の服本体５を作ることを念頭に作成したほうが当然合理的である。
【００５９】
第１実施形態の空調衣服では電気部品取付ベルト２を使用し、ファン１が電気部品取付ベルト２に固定されているため、服本体５に負荷が加わることがないので、従来の空調衣服に比べ上記の「課題」を解決できるだけでなく服本体にも次のような大きな利点がある。
１  服本体５のファン用開口孔５３にファン１の重量が全く加わらないので、
ファン用開口孔５３を補強加工する必要がない。
２  ファン用開口孔５３の補強加工が必要ないので、０．０５ｍｍ以下のプラスチ
ックフィルムを服本体５の素材として使用することができる。
【００６０】
（変形例）
多様な服本体に使用できる空調衣服用電気部品装着ユニット１００ａについて説明する。
図６は、本変形例で使用するファン１ａの概略側面図である。
本変形例において、筒状連結部１６には、図６に示すように、ファン本体（不図示）は、カバー部の内部に収容される。このようなカバー部は、互いに対向する空気取込部１１と空気送出部１４との間に筒状連結部１６が形成され、空気送出部１４の側にはファン取付手段１５が設けられる。また、筒状連結部１６の外周面の上下に、上部フランジ１２１と下部フランジ１２２が形成され、上部フランジ１２１と下部フランジ１２２の隙間には、結果的にリング状の溝１６１が形成される。なお、第１実施形態で用いた図１に示すファン１においても、溝１６１の上部の筒状連結部１６の一部を上部フランジ１２１とみなすこともできる。
【００６１】
なお、筒状連結部１６は、空調衣服の服本体に形成されたファン用開口孔５３に差し込むことにより、ファン１と当該服本体を連結するためのファン側連結部として機能する。
【００６２】
また、ファン取付手段１５は、例えば、移動可能手段としてベルト本体２ａに通すための扁平貫通孔（例えば、扁平な幅２６ｍｍの孔）である。なお、この場合、ファン１は、ベルト本体２ａ上を移動可能になるものの、使用中にベルト本体２ａ上を移動しても落下することはないので、実質的にベルト本体２ａ上に固定しているといえる。
【００６３】
図７は、組み立て済みの電気部品取付ベルト２ａの概略側面図である。電気部品取付ベルト２ａは、第１実施形態で使用するベルトと略同様であるが、幅は、例えば、２５ｍｍと、電気部品取付ベルト２よりも細い。
【００６４】
次に、電気部品取付ベルト２ａの組み立て方法について説明する。
図７は、組み立て済みの電気部品取付ベルト２ａ（空調衣服用電気部品装着ユニット１００ａ）の概略側面図である。
ベルト本体２ａの取付調整手段２３が形成されていない側の端部から、ファン１ａのファン取付手段１５としての扁平貫通孔にベルトに通し、腹部の中央に対応する部位から左右に（例えば、１５ｃｍ程度の左右の位置）移動させる。
【００６５】
次に、電源部３を中央に取り付け、電源ケーブル４を、ファン１ａと電源部３に接続する。組み立て済みの電気部品取付ベルト２ａ（空調衣服用電気部品装着ユニット１００ａ）は、上記のように構成されているため、左右にファン１ａを移動させることができ、服本体５のファン用開口孔５３の間隔が異なる多様な服本体５に使用することができる。
【００６６】
次に、本変形例の電気部品取付ベルト２ａを使用し、服本体５ａとして薄手のポリ塩化ビニルを使用し、形状はブルゾン型の場合について説明する。服本体５ａの形状は、従来のブルゾン型の服本体１１０と同様な構造であり、ファン用開口孔５３についてのみ次のように異なる。
１  ファン用開口孔５３は前面に開口している。
２  従来の取付孔としての補強処理は行わずファン用開口孔５３の内縁には
弾性リング、具体的には輪ゴム（弾性リング６ａ）を有する。
【００６７】
図８は、ファン１ａの筒状連結部１６と、ファン用開口孔５３の縁との関係を説明する説明図である。
図８に示すように、服本体５ａに形成されたファン用開口孔５３の縁は、筒状連結部１６に差し込まれた後、上部フランジ１２１を通って、筒状連結部１６の一部である溝１６１の部分に、落とし込まれるので、この状態で安定し、服本体５とファン１とを連結する。この場合、ファン１の筒状連結部１６がファン側連結部として機能することになる。
なお、溝１６１の下側には、下部フランジ１２２が形成されているので、ファン用開口孔５３の縁が、それ以上、下側に移動してしまうことを防止できる。
【００６８】
電気部品取付ベルト２ａと服本体５ａは、上記のように作製されているため、電気部品取付ベルト２ａを、胴体に巻きつけ服本体５ａを着用し、前身ごろのファスナーを閉じる前に、ファン１ａの左右位置を大まかに調整する。
【００６９】
そして、ファン用開口孔５３を、ファン１ａの筒状連結部の上部フランジ１２１を貫通させて差し込み、弾性リング６ａを有するファン用開口孔５３の縁をリング状の溝に落とし込む。その後、ファスナーを閉じ、必要に応じてファン１ａの左右位置を微調整する。
【００７０】
なお、ファン用開口孔５３の縁を、上部フランジ１２１を貫通させてリング状の溝に落とし込む方法は、ファン用開口孔５３の内縁に弾性リングを設ける方法に限らないが、ファン用開口孔５３は、伸縮性等を必要とする。伸縮性を持たせる別の方法として、ファン用開口孔５３を含むその周辺のシート状素材には、素材自体に伸縮性のある素材を用いてもよい。
【００７１】
（第２実施形態）
第１実施形態及びその変形例では、ベルト本体上にファン、電源ケーブル、電源部が取り付けられた空調衣服用電気部品装着ユニット１００、１００ａについて説明したが、第２実施形態では、電気部品自体がベルト本体２１、２１ａの一部として機能する方式について説明する。以下、本実施形態とその変形例の記述では、空調衣服用電気部品装着ユニットを単に空調ユニットと称すこともある。
図９はファンの概略側面図、図１０は電源部の概略正面図、図１１Ａは電源ケーブルの端子と電源部の端子を結合する前の状態を示す概略図、図１１Ｂは電源ケーブルの端子と電源部の端子を結合した状態の概略図である。
【００７２】
図１１Ａに示すように、電源ケーブル４の端子（プラグ）ｋ１１には電源部３と機械的に嵌合するための差し込み嵌合部（結合部）ｋ１として嵌合壁ｋ１３を有する嵌合スプリングｋ１２が上下に２個形成され、電源部３の端子（ジャック）ｋ２１の上下には差し受け嵌合部（結合部）ｋ２として嵌合壁ｋ１３と嵌合する嵌合壁ｋ２２が形成されている。このように構成されているため、嵌合スプリングｋ１２を親指と人差し指でつまみ２つの嵌合壁ｋ１３の間隔を縮小しプラグｋ１１をジャックｋ２１に差し込んだ後、指を離すと、図１１Ｂに示すように、嵌合壁ｋ１３と嵌合壁ｋ２２とが嵌合し電源ケーブル４と電源部３とを引き離す力が加わっても電源部３から電源ケーブル４が抜けることはない。ファン１ｂと電源ケーブル４とを結合するための端子も同様に構成されている。具体的には、図９に示すように、ファン１ｂの右下部には、電源部３と同様の差し受け嵌合部ｋ２が形成されている。また、ファン１ｂの左下部には、後述する胴ベルトｋ３を結合させるためのフックｋ５が形成されている。なお、電源部やファンと電源ケーブルとを強固に結合させる方法はこの方法に限らず一般的な各種方法を用いることができる。
【００７３】
図１２は、空調ユニット全体の正面図である。図１２に示すように、左右のファン１ｂは電源ケーブル４により電源部３と電気的にも機械的にも結合され、左のファン１ｂのフックｋ５には胴ベルトｋ３の一端が結合され胴ベルトｋ３の他端にはフックｋ３１が形成され右のファン１ｂのフックｋ５に結合できるように構成されている。また、電源部３の両側部にはフックｋ５が形成され首ベルトｋ４が結合されている。
図１３は、空調ユニットを体に装着したときの概略正面図である。図１３に示すように、首ベルトｋ４を首に掛け、アジャスターｋ３２を備えた胴ベルトｋ３のフックｋ３１を右のファン１ｂのフックｋ５に結合することにより空調ユニットは胴体に装着され、首ベルトｋ４により電源部３の重量の一部を負担することができる。無論、首ベルトｋ４は必須のものでなく、また電源部３の重量の一部を負担する場合でも必ずしも首にかける必要はなく、服地により負担する方法等、各種方法を使用することができる。
【００７４】
図１３に示すように、装着された空調ユニットは、電気部品すなわちファン１ｂ、電源ケーブル４、電源部３自体がそれぞれベルト本体２１の一部を構成して、また電源ケーブル４とファン１ｂ及び電源部３との結合には図１１で示した方法が使用されているので、相当な力が空調ユニットに掛かっても結合が外れることはない。なお、結合を外すには嵌合スプリングｋ１２を指でつまんで引き抜けばよい。なお、電源部３の左右の端子ｋ２１の周辺に設けた電源ケーブル４と結合する部位を電源部取付手段３１、ファン１ｂの端子ｋ１１の周辺の電源ケーブル４と結合する部位及びファン１ｂのフックｋ５をファン取付手段１５とみなすことができる。
図１４は、服を着用し、ファン１ｂとファン用開口孔５３を連結した概略図である。ファン１ｂとファン用開口孔５３との連結方法は、第１実施形態と同様である。
【００７５】
（第３実施形態）
第３実施形態では、大型のファンを１つ用いた風量、連続使用時間も大きな大型の空調衣服用電気部品装着ユニット１００ｂの場合で説明する。
【００７６】
図１５Ａ及び図１５Ｂは、第３実施形態の大型のファンと大型の電源部を備えたユニット部７の概略正面図及び概略側面図である。
【００７７】
ユニット部７は、大型のファン（不図示）と、大容量の電源部７１を一体的に収納したユニットである。また、ユニット部７は、空気取込部７２、空気送出部７３、筒状連結部７４、フランジ７５、後述するユニット部固定手段７６、リング状の溝７７、傾斜ガイド部７８とを備えている。
【００７８】
大型のファン（不図示）と、大容量の電源部７１とは、カバー部の内部に収容される。このようなカバー部は、上面に空気取込部７２が形成され、カバー部の側面であって、中心よりも下側に空気送出部７３が形成される。
【００７９】
また、カバー部の側面の中央部分には、フランジ７５が形成され、フランジ７５の上部は、筒状連結部７４となる。なお、この筒状連結部７４はファン側連結部とみなすことができる。そして、筒状連結部７４の外周面であって、フランジ７５の近傍には、溝７７が形成されている。また、筒状連結部７４の上端部には、上端部に向かって外周が小さくなるテーパーの形状を有する傾斜ガイド部７８を有する。
【００８０】
さらに、カバー部の側面であって、中心よりも下側には、ユニット部固定手段７６（例えば、４つのコーナー部に形成されたフック）が形成され、４つベルト７９が接続される。
【００８１】
ユニット部７内のファンや電源部７１の配置等については、各種構成をとることができるが、ユニット部７自体を電源部７１を一体化したファンとみなすことができる。また、上記のようにユニット部７は、空気取込部７２、空気送出部７３、筒状連結部７４、フランジ７５、ファン取付手段に相当するユニット部固定手段７６を有し、基本的な外部構造は第１、第２実施形態で説明したファンと同じなので、以下の説明においては、第１、第２実施形態で説明したファン１，１ａ，１ｂと第３実施形態のユニット部７の両方を、ファン装置と称する場合もある。同様に、ファン装置用の開口孔もファン用開口孔５３と称すこととする。
また、傾斜ガイド部７８は、後述するように、服本体５ｃのファン用開口孔５３とユニット部７の筒状連結部７４とを容易に連結できるように設けたものである。
【００８２】
図１６は、背中にユニット部７を背負った概略背面図、図１７は、その上に大きなファン用開口孔が背中に開口した服本体５ｃを着用した時の概略背面図、図１８は、図１７におけるＸ−Ｘの概略断面図である。
【００８３】
服本体５ｃは、ブルゾン型であり、ユニット部７に対応する位置に、縁に伸縮性のある弾性リングが取り付けられたファン用開口孔（不図示）が開口している。
【００８４】
次に、使用する時の手順について説明する。
先ず、ランドセルを背負うようにユニット部７を背負う。そして、ユニット部７の上から服本体５ｃをはおり両腕を通し、服本体５ｃの両側を手前に引っ張ることにより服本体５ｃのファン用開口孔の縁が、ユニット部７の傾斜ガイド部７８にガイドされフランジ７５の上部に設けられたリング状の溝７７に落ち込み、ユニット部７の胴体部（筒状連結部７４）とファン用開口孔が連結される。なお、背負うのと同様に胸部や腹部に装着しても良い。
【００８５】
風量調節などの操作は、ユニット部７からケーブルで接続されたコントローラー（不図示）を使用してもよいし、リモコン等で操作することもできる。
【００８６】
第３実施形態では、特に、電源部７１が大容量であるため、ユニット部７は重いものの、ランドセルを背負うような状態なので、相当な大容量でも重みをあまり感じることはなく、長時間の重労働の作業に非常に適している。
また、第３実施形態では、モーターと電源部７１とを密閉容器に閉じ込め、モーターにプロペラを取り付ける為の回転軸と軸受けとの機密性を高めることにより、発火性のある雰囲気中でも使用できる防爆仕様を実現することができるようにしてもよい。
【００８７】
なお、筒状連結部７４は、必ずしもユニット部７の全側面に設ける必要はなく、空気取込部７２に連なるように部分的に設けてもよい。
部分的に設けることにより、ファン用開口孔５３を小さくすることができる。また、電源部は、必ずしもカバー部の中に収納する必要はなく、カバー部の下側に吊るすように設けてもよく、上側に設けても良い。この場合、吊るす構造自体が電源部固定手段とみなすことができる。さらに、ユニット部７にファンや電源部を設けることは何らかの固定手段、或いは、収納手段が必要であり、その手段がファン固定手段であり電源部取付手段である。
【００８８】
また、使用方法は必ずしもユニット部７を装着してから服を着用しファン用開口孔５３とユニット部７の胴体部とを連結するのではなく、予めファン用開口孔５３とユニット部７の胴体部を連結し、服本体５ｃに取り付けられたユニット部７を装着した後、服本体５ｃの袖に手を通し着用することもできる。
【００８９】
（変形例）
図１９Ａは、装着部の一部である電気部品装着板２ｂの概略正面図、図１９Ｂはその概略側面図である。図１９に示すように、電気部品装着板２ｂの底面には体温や脈拍を測定するためのバイタルセンサー（不図示）が取り付けてあり、また表面には回路基板２ｂ１が配されている。またファンを着脱自在に取り付ける為のファン取付手段２ｂ２、また４つのコーナーには背負いベルト７９を取り付ける為のフック２ｂ３が形成されている。
図２０は、電源部の概略正面図である。図２１は、ファンの概略側面図である。図２２は、電源部を取り付けたファンを電気部品装着板２ｂに取り付けたユニット部の概略側面図である。
本変形例では、図２０に示すように、ロの字型の容器７１ａ１に４本のリチウムイオン電池７１ａ２を配置した電源部７１ａを使用し、ファン１ｃの側面に取り付けるようになっている。電源部７１ａの内縁はファン１ｃの円筒部に接するような円板状であり、従来の空調衣服のファンと取付リングとの関係（特開２０１５−０６５９９８参照）と同様に電源部７１ａが取付リングの役割を兼用し、ファン１ｃのフランジ７５の下面と電源部７１ａの上面とによりファン用開口孔を挟み込むように構成されている。但し、ファン１ｃはファン取付手段により電気部品装着板２ｂに固定され、ファン用開口孔には負荷がかからない。なお、ファン１ｃに電源部７１ａを取り付ける電源部７１ａ側の構造自体が電源部取付手段である。なお、電源部７１ａをロの字型にしてプロペラファンＦＮ１１ａを囲む円筒部に取り付けることは電源部７１ａが空気送出部７３からの空気の流れを乱すことはなく、又取り付け場所確保の点からも有意である。
【００９０】
次に、ユニット部の電気の接続について説明する。電源部７１ａを取り付ける部位のファン１ｃの円筒部には２極の電極（不図示）を配し、電源部７１ａをファン１ｃに取り付けると電源部７１ａに設けた２極の電極（不図示）が円筒部の電極と接触し、ファン１ｃに取り付けた２極の電源ケーブル（不図示）を介してファン１ｃの底部に設けられた電源用底部電極（不図示）に接続される。また、２極の電源ケーブル（不図示）を介しモーターＦＮ１１ｂとモーター用底部電極（不図示）が接続されている。
電源部７１ａを取り付けたファン１ｃを電気部品装着板２ｂに取り付けると電源用底部電極とファン用底部電極は基板上に設けられたそれぞれの電極に対応する電極（不図示）と接触し、電源部７１ａからの電力を回路基板２ｂ１に設けた各回路を介し適切な電圧に変換しモーターＦＮ１１ｂに印加される。
【００９１】
図２３は、回路ブロック図である。回路基板２ｂ１には、電源部７１ａの電圧を制御回路２ｂ１２の指示に基づき変換しファン１ｃのモーターＦＮ１１ｂに印加するための電圧変換回路２ｂ１１、スマートフォン等の外部通信機器（不図示）にバイタルセンサーＢＳや温湿度センサーＴＳ等の情報を送信し、外部通信機器からの指示を受信する通信回路２ｂ１３が配されている。したがって、取り込まれる空気の温湿度、バイタルセンサーＢＳのデータに基づき適正な電圧をモーターＦＮ１１ｂに供給する。また、外部からの指示に基づきモーターＦＮ１１ｂに適正な電圧を供給することもできる。
【００９２】
次に、本変形例による空調衣服の着用手順の一例を説明する。図２４Ａは本変形例の空調衣服を着用した時の概略正面図、図２４Ｂはその概略裏面図である。なお、空調衣服本体の背部にはファン用開口孔５３が施され、首周りや腕部以外にも図２４に示すように服本体５の各所には空気排出部１３０が設けられている。また、電気部品装着板２ｂにはベルト７９が予め取り付けられている。
１  ファン１ｃをファン用開口孔５３に外側から差し込む。
２  服本体５の内側からファン用開口孔５３の縁を挟み込むようにファン１ｃの胴体部に電源部７１ａを差し込み取り付ける。
３  電源部７１ａが取り付けられたファン１ｃを電気部品装着板２ｂに取り付け固定する。これによりベルト７９と服本体５が取り付いたユニット部が完成する。
４  ユニット部を背負う。
５  腕を通し服を着用しファスナーを閉める。
【００９３】
次に、使用方法について説明する。なお、外部通信機器であるスマートフォンには関連するソフトウエアがインストールされている。
スマートフォンにより空調衣服を起動させると、温湿度センサーＴＳ、バイタルセンサーＢＳから出力されたデータがスマートフォンに送信され、それらのデータに基づき計算した送風量データがユニット部に送信され、受信した送風量データに基づき制御回路２ｂ１２の制御下において電圧変換回路２ｂ１１によりファン１ｃのモーターＦＮ１１ｂに電力を印加する。
【００９４】
本変形例では、ファンの空気取込部には通常のフィンガーガードを取り付けた場合で説明したが、フィンガーガードの替わりに、図２５Ａ、図２５Ｂ、図２５Ｃに示すような各種のオプションパーツを取り付けても良い。
図２５Ａは後述の第４実施形態に記すフィルターや含水スポンジを使用する場合と同様の目的のオプション容器ＯＰ１である。
図２５Ｂは雨が入らないようにした下側から外気を吸入するための雨避けカバーＯＰ２である。
図２５Ｃはペレット状のドライアイス（冷却剤）等を入れる容器ＯＰ３である。
このように、使用目的に応じ、単なるフィンガーガードから目的に応じた容器等に変更することができ、また背負うことにより容器やその内容物等の重量が相当に大きくてもあまり負担にならない。
【００９５】
（第４実施形態）
図２６は、第４実施形態のユニット部７ｂの概略断面図である。
本実施形態の空調衣服は、第３実施形態と同様にユニット部７ｂを用いたものである。第３実施形態と異なるのは、図２６に示すように、空気取込部７２には、ユニット部７ｂの上面全体に拡大し空気取込部の直下には塵を浄化するためのフィルター７２２を取り付けるための機能空間７２１が設けられ、フィルター７２２が収納されている点である。本実施形態では、取り込まれた空気を、フィルター７２２により塵等を取り除き浄化した空気を、服本体の内部に取り込むことを特徴としたものである。
【００９６】
（変形例）
本変形例の空調衣服は、汗による気化熱だけでは使用できないような外気温が非常に高く乾燥した環境で使用するものである。当該変形例は、空調衣服の内部に導入する空気を水の気化熱で冷却する特殊な空調衣服である。
【００９７】
図２７は、含水手段として機能する含水用スポンジ７２３の概略正面図である。
本変形例が第４実施形態と異なる点は、機能空間７２１に収納されるのはフィルター７２２の替わりに、含水用スポンジ７２３が収納されている点である。含水用スポンジ７２３は、例えば、２φの孔が全面に開口率５０％で施された、厚さ１ｃｍの吸水性の高いスポンジである。吸水させた含水用スポンジ７２３を機能空間７２１に収納することにより、２φの孔を通して空気が取り込まれ、この時に、多量の水が蒸発して気化熱により冷却された空気が空調衣服の内部に導入される。
【００９８】
なお、水を使用し水の気化熱で空気を冷却する方法は含水させたスポンジによる方法に限らず、例えば、機能空間内にミスト発生装置を配し、ミストを空調衣服内に取り込む方法でもよい。この場合、供給する水の容器は機能空間内に設けても、外部に設けてもよい。
【００９９】
なお、第３、第４実施形態及びその変形例では、フィルターにより塵を除去する場合、及び水の気化熱で冷却する場合等について説明したが、必要に応じ各種フィルター等で特定の物質や有害な物質を除去したり、またスポンジ等に消臭剤や香料を含ませたり、その他各種方法で体に有用な物質を服内に取り込むようにすることもできる。
また、第３、第４実施形態及びその変形例に記したように、服内に取り込む空気を改善する空気改善手段は目的に応じて各種方法を使用することができる（雨を取り込まないことも空気改善の１つである）。また、空気改善手段は実施例のようにファンの外側に配置しファンにより取り込まれる空気を改善する方法に限らず、ファンにより取り込まれた空気を改善する方法も使用することができる。従って、空気改善手段が配置される位置はファンの空気取込口の周辺である。
【０１００】
以上の説明のように、電気部品を装着部に固定することにより電気部品の落下を完全に防止することができる。また、服にファンを取り付ける従来の空調衣服では困難だった大型化や機能化が可能となる。さらに、ユニット部が身体と密着しているので、体調管理用のセンサー（体表面温度、脈拍等）を容易に取り付けることができる。また、そのデータを作業管理者等に送信することにより体調不調者を検出することができる。
【０１０１】
（第５実施形態）
次に、第５実施形態の空調衣服用電気部品装着ユニット（空調ユニット）について説明する。本実施形態の空調衣服用電気部品装着ユニットは、後述する電気部品取付ベルト（装着部）２と、この電気部品取付ベルト２に取り付けられるファン１ｄとを備えている。つまり、電気部品取付ベルト２に取り付けられる電気部品はファンのみである点において、ファンの他に電源部や電源ケーブルが電気部品取付ベルト２に取り付けられた第１実施形態の空調衣服用電気部品装着ユニットとは異なる。
【０１０２】
図２８は、第５実施形態の空調衣服用電気部品装着ユニットを構成する電気部品取付ベルト２の概略図である。図２８に示すように、本実施形態の電気部品取付ベルト２は、ベルト本体２１と、相互に接続するための一対の接続端子２４と、コードロック（長さ調整手段）２５とを備えている。本実施形態のベルト本体２１の主部をなすベルト２２は、弾性を有しない一本の紐で構成されている。一対の接続端子２４は、紐の両端に設けられている。コードロック２５は、紐を所望の長さで固定することにより紐の長さを調整するものである。
本実施形態の電気部品取付ベルト２は、ベルト本体２１である紐を胴体に巻いた状態で接続端子２４を相互に接続することによって、胴体に装着されるようになっている。
【０１０３】
次に、本実施形態の空調衣服用電気部品装着ユニットを構成するファン１ｄについて説明する。
図２９Ａは、本実施形態のファン１ｄの概略側面図、図２９Ｂは、その概略裏面図、図２９Ｃは、紐に取り付けられた状態のファン１ｄの概略裏面図である。
図２９Ａ〜図２９Ｃに示すように、ファン１ｄは、ファン本体と当該ファン本体を収容するカバー部とで構成される本体部１０と、本体部１０に着脱自在に設けられた筒状の取付筒部１７と、上述の紐にスライド可能に取り付けるためのファン取付手段１５とを備えている。取付筒部１７は、服本体５のファン用開口孔５３に取り付けられたファン１ｄを固定するためのものである。具体的には、図２９Ａに示すように、本体部１０の側面を覆うように取付筒部１７が本体部１０に取り付けられることによって、ファン用開口孔５３の縁は、本体部１０の上部に設けられているフランジ１２と取付筒部１７とで挟まれ、ファン用開口孔５３にファン１ｄが固定された状態となる。
ファン取付手段１５は、本体部１０の下部に設けられ、両端の当接部にスプリング性を有する「Ω」字状の取付金具（図示省略）を有している。この取付金具は、人為的には紐をスライド可能に簡単に取り付けるとともに取り外すことができるが、自然には簡単に外れない構造となっている。これにより、ファン取付手段１５は、紐の長手方向に移動可能に当該電気部品取付ベルト２に取り付けられたこととなる。また、ファン取付手段１５は、電気部品取付ベルト２上をスライド可能に当該電気部品取付ベルト２に取り付けられたこととなる。ファン取付手段１５の上記構造は、取付金具のスプリング性を利用することにより各種方法で簡単に実現することができるので、ここでは詳細な説明は省略する。なお、取付金具の代わりにスプリング性を有する「Ω」字状のプラスチック成型品を使用することもできる。
【０１０４】
次に、本実施形態の空調衣服用電気部品装着ユニットが取り付けられた空調衣服の使用方法について説明する。図３０は、本実施形態の空調衣服用電気部品装着ユニットを取り付けた状態であって、前身頃を開いた状態の空調衣服を示す概略正面図である。
【０１０５】
先ず、２つのファン１ｄ，１ｄをそれぞれ服本体５のファン用開口孔５３に取り付ける。上述したように、ファン用開口孔５３の縁は、本体部１０の上部に設けられているフランジ１２と取付筒部１７とで挟まれ、これによりファン用開口孔５３にファン１ｄが固定されることとなる。つまり、ファン１ｄのフランジ１２と取付筒部１７とがファン側連結部をなす。なお、取り付け方法の詳細については、特願２０１６−５０８３７１に開示されているため、その説明は省略する。
【０１０６】
次に、ファン１ｄと電源部（図示省略）とを電源ケーブル（図示省略）を介して接続する。
【０１０７】
次に、図２９Ｃ及び図３０に示すように、紐をファン１ｄのファン取付手段１５に取り付け、服本体５を身に着ける。そして、紐に設けられた一対の接続端子２４を互いに接続することによって、電気部品取付ベルト２を腰回りに装着する。このとき、必要に応じて、コードロック２５により紐の長さを調整する。
【０１０８】
次に、服本体５の前身頃に設けられているファスナー５８を閉じる。そして、ファン１ｄを駆動させ外気を服内に取り込む。
【０１０９】
（第６実施形態）
次に、第６実施形態の空調衣服について説明する。
図３１Ａは、本実施形態の空調衣服の服本体５の概略正面部、図３１Ｂはその服本体５にファン１ｄを取り付け着衣したときのファン１ｄを取り付けた胴周りの概略断面図である。
第５実施形態では、ファン取付手段１５としてファン１ｄの本体部１０の左右に取付金具を設けこれらの取付金具に紐を通しているが、本実施形態では、図３１Ａに示すように、ファン１ｄに取付金具を取り付ける代わりに、ファン１ｄの左右の近傍の服地５１にコード通し５９を取り付け、ここにベルト本体の主体であるベルト２２として一本の紐（ゴム紐）を通している。そして、ファン１ｄの空気送出部の柱部と紐とはフック（図示省略）を介して連結されている。また、紐の両端部は服本体５のファスナー付近に間隔確保手段５７を経由して縫い付けられている。すなわち、直接紐によりファン１ｄを体に密着させるのではなく、服地５１を介してファン１ｄを体に略垂直に押し付けることによりファン１ｄを体に密着させている。これにより、紐は全て服に内蔵され、従来のファンをそのまま使用することもできる。
【０１１０】
このように構成されているので、図３１Ｂに示すように、服本体５のファスナー５８を閉じ使用した際にファン１ｄは体に密着する。また、ファン１ｄは体（胴体ＢＤ）に押し付けられるため、紐を体に巻きつける力を小さくすることができる。さらに、紐の一部又は全部にゴム紐を使用することにより、胴径の違いを吸収することができるので、必ずしも紐の長さの調整を必要としない。
また、ファン１ｄの空気送出部の柱部と紐とをフック（図示省略）により連結しているので、服本体５からファン１ｄが外れたときのファン１ｄの落下を防止することができる。この場合、フック等を介してファン１ｄを紐に連結していることになり、ファン１ｄと紐とを連結する機構をファン取付手段とみなすことができる。ファン１ｄを紐に取り付ける方法はフックによる方法に限らず各種の一般的な方法を使用することができる。
【０１１１】
以上の説明のように、第１、第２、第５、第６実施形態の空調衣服用電気部品装着ユニットによれば、空調衣服に使用され服内が陽圧になった場合でも、ファンはユーザの体に装着された電気部品取付ベルトに取り付けられているので、ファンの部位が膨らまないようにすることができる。このため、ファンの部位が膨らむことによる様々な問題（例えば、空調衣服を身に着けた状態での作業の妨げとなる等）を回避することができる。
【０１１２】
また、従来の空調衣服では、ファンは、服本体に宙吊り状態に取り付けられているのに対し、各実施形態の空調衣服用電気部品装着ユニットを使用した空調衣服では、ファンが体に密着しているので、さらに次のような利点がある。
【０１１３】
１  ファンに外力が加わっても、ファン装置は体に密着しているため大きく動くことはないので、ファンの内部の部品に大きな衝撃力が加わることがなく、対衝撃力の小さな安価な部品を使用することができる。また、ファンに加わった外力は体により吸収されるため、ファンを構成する構造部材も安価な材料を使用できる。
【０１１４】
２  空調衣服用電気部品装着ユニットを入手すれば、個人の服を、空調衣服用の服本体に容易に加工が可能なので、空調衣服の普及を加速し環境にやさしい社会の実現を促進することができる。
【０１１５】
なお、第５実施形態ではベルト本体として伸縮性の無い１本の紐、第６実施形態では１本のゴム紐を使用する場合について記載したが、第５、第６実施形態に使用するベルトは一部又は全部が１または複数の紐、或いは１または複数の帯、或いは１または複数の紐と１または複数の帯の結合体からなるベルトを使用できる。特に第６実施形態ではコード通しをファン用開口孔の上下付近に設けファン近傍の部位では紐を２本にするなど、各種の組み合わせを使用することができる。
【０１１６】
また、紐の一部又は全部にゴム紐等を使用して弾性を持たすことにより紐の長さを調整するためのコードロックを省略することもできる。
また、接続端子を使用せず、ベルト本体の両端をファスナーの近傍に取り付けても良い。また、取り付ける場合、縫い付けるのではなく、ベルト本体の両端にフック等を取り付け、ファスナーの近傍にフック等と係合する係合手段を設け、ベルト本体を服本体に着脱自在に取り付けることもできる。また、取り付け場所は、ファスナーの近辺に限定されるものではなく、少なくとも服本体の前側であればよい。この場合、紐の端部を取り付けた一方の部位から他方の部位までがファスナー（開閉手段）を含めベルト本体の一部とみなすことができる。このように、紐の両端部を服本体の前側に取り付けた方式では着衣してファスナーを締めることによりファンを装着することになる。
【０１１７】
また、第１、第５、第６実施形態ではファンは服の内側からファン用開口孔に取り付けることが可能なので、ファンと電源ケーブル４は、図３２のように直接接続され一体化されたものを使用することができる。このようにファンとケーブルを一体化し端子部を無くすことにより接触不良がなくなり、またコストを低減することができる。
【０１１８】
また、第３、第４実施形態では空調衣服用電気部品装着ユニットがユニット部として電気部品全てが一体化され、また第１、第２、第５、第６実施形態ではファンは装着手段であるベルト本体に取り付けられているので、ファンが服本体から外れてしまった場合でも落下しないようにすることができる。また、ファンはベルト本体によって支えられているので、服本体にファンの重さが加わってしまうことを抑制することができ、空調衣服の着心地を良くすることができる。
【０１１９】
また、第５実施形態及び第６実施形態の空調衣服用電気部品装着ユニットによれば、ファンはベルトに対してスライド可能に取り付けられているので、ファン用開口孔の配置にバラつきがある場合であっても、ファンの位置をスライドさせることによってファン用開口孔に当該ファンを容易に取り付けることができる。また、第５実施形態ではコードロックを備えることによって、電気部品取付ベルトの長さを調整することができ、第６実施形態ではベルトに弾性があるので、ファンを体に適正な圧力で密着させることができる。
【０１２０】
また、第１〜第５実施形態の空調衣服用電気部品装着ユニットによれば、シート状素材を主材料とする服本体と、シート状素材とは全く異質な電気部品とを切り離すことにより、双方の関係をあまり考慮する必要がなくなる。このため、服本体は服製品として、ユニット化した電気部品は電気製品として、合理的に設計・製造することができ、コストダウンと性能の向上と利便性の向上とを図ることができる。
【０１２１】
また、第１、第２実施形態において、電気部品取付ベルトを腹部に巻きつけることにより、体に装着する場合について説明したが、例えば、肩や首からぶら下げるようにして体に装着してもよい。
【０１２２】
また、各実施形態において、服本体では上半身に着用する上衣の場合について説明したが、つづき服や冬用コートのように下半身も覆うようにしてもよい。この場合、裾の空気漏れ防止手段は必ずしも必要ではない。
【０１２３】
電源部に使用する具体的な電源としては、１次電池でも２次電池でも燃料電池でも使用することができる。太陽電池（ソーラーパネル）を使用する場合では、ソーラーパネル自体は電源部に収納することはできないが、ソーラーパネルで発電した電気を使用又は蓄電するため手段が電源部である。
【０１２４】
また、ファンの形状は、円形に限定したものではない。例えば、所謂、プロペラファンに限らず、多翼ファン（シロッコファン）等であってもよい。さらに、ファンの形状等によっては、空気取込部は上面に開口したものに限定するものではない。
【０１２５】
また、各実施形態において、左右に２つのファンを使用する場合と１つの大型のファンを使用する場合について説明したが、ファンの数は２つ以上でもよい。
【０１２６】
また、電源部等に通信手段を備え、外部装置、例えば、スマートフォンのアプリから受信した指示に基づき、ファンのＯＮ／ＯＦＦ、及び／又は、ファンの回転数を操作してもよい。
【０１２７】
また、体温や脈拍等のバイタルサインを測定する測定手段を備え、測定手段の測定結果に基づきファンのＯＮ／ＯＦＦ、及び／又は、ファンの回転数を制御してもよい。さらに、通信手段を制御して測定手段の測定結果を外部に送信するようにしてもよい。
【０１２８】
また、測定手段の測定結果を外部装置であるスマートフォンに送信して、スマートフォンのアプリから受信した測定結果に応じた指示に基づき、ファンのＯＮ／ＯＦＦ、及び／又は、ファンの回転数を操作してもよい。
【０１２９】
また、第５実施形態及び第６実施形態では、電気部品取付ベルト２にファン１ｄをスライド可能に取り付ける場合を例示したが、必ずしもファン１ｄをスライド可能に取り付ける必要はない。例えば、図３３に示すように、ファン１ｄの両側部にベルト本体２１を構成する紐を結び着けることによって、電気部品取付ベルト２を構成するようにしても良い。つまり、かかる場合、ファン１ｄも電気部品取付ベルト２の一部とみなすことができる。
【０１３０】
また、第５実施形態及では、電気部品取付ベルト２にファン１ｄをスライド可能に取り付ける場合を例示したが、電気部品取付ベルト２にファン１ｄをスライド可能に取り付ける方法は各実施形態で例示した方法に限らず、各種一般的な方法を採用することができる。
【０１３１】
また、ファン１ｄの配設位置も適宜変更可能であり、服本体５の背面側に限らず前面側に配設するようにしても良い。この場合、椅子やカーシートに座ったときにファン１ｂが邪魔になることがなく、更に服の背部の内面に特許第４０６７０３４号に開示されているスペーサを配することにより、椅子の背もたれにもたれかかっても服と背中との間に空気流通路を確保することが出来る。
【０１３２】
また、第５実施形態及び第６実施形態では、電気部品取付ベルト２に取り付けられる電気部品はファンのみである場合について例示したが、落下防止を目的として、電気部品である電源部（電源）も電気部品取付ベルト２に取り付けるようにしても良い。
【０１３３】
各実施形態において、空気排出部には空気排出抵抗を調整する機構を設けても良い。例えば、服本体として半袖を使用した場合、腕の太さと袖との関係による空気の排出の割合を適正化するために、図３４Ａに示すように、袖口に配されたボタン（例えば、スナップボタン）Ｂにより半袖の開度を調整するようにしても良い。また、図３４Ｂに示すように、後襟の近傍の矩形状の領域Ｒにたるみを付けたりスペーサを配したりして後襟からの空気排出量を確保するようにしてもよい。各空気排出部の空気排出抵抗を調整する機構は上記に限らず、一般的な各種方法を使用することができる。
【０１３４】
なお、本発明は、各実施形態及に限定されることなく、本発明の趣旨を逸脱しない範囲において、種々の改良並びに設計の変更を行っても良い。
【産業上の利用可能性】
【０１３５】
本発明は、空調衣服の製造分野において好適に利用できる。
【符号の説明】
【０１３６】
１００、１００ａ、１００ｂ、１００ｃ  空調衣服用電気部品装着ユニット
１、１ａ、１ｂ、１ｃ、１ｄ  ファン
１０  本体部
１１  空気取込部
１２  フランジ
１２１  上部フランジ
１２２  下部フランジ
１４  空気送出部
１５  ファン取付手段
１６  筒状連結部（ファン側連結部）
１６１  溝
１７  取付筒部
２、２ａ  電気部品取付ベルト（装着部）
２１、２１ａ  ベルト本体（装着手段）
２２  ベルト
２３  取付調整手段
２４  接続端子
２５  コードロック（長さ調整手段）
３  電源部
３１  電源部取付手段
４  電源ケーブル
５、５ａ、５ｃ、５ｄ  服本体
５１  服地
５２  首周り
５３  ファン用開口孔
５４  裾部コード通し
５７  間隔確保手段
５８  開閉手段（ファスナー）
５９  コード通し
６、６ａ  弾性リング（連結補助具）
７、７ａ、７ｂ  ユニット部
７１  電源部
７２  空気取込部
７２１  機能空間
７２２  フィルター
７２３  含水用スポンジ（含水手段）
７３  空気送出部
７４  筒状連結部（連結部）
７５  フランジ
７６  ユニット部固定手段
７７  溝
７８  傾斜ガイド部
７９  ベルト（装着手段）
１０１  空調衣服
１１０  服本体
１３０  空気排出部
１４０  ファン
ｋ１  差し込み嵌合部
ｋ１１  プラグ
ｋ１２  嵌合スプリング
ｋ１３  嵌合壁  
ｋ２  差し受け嵌合部
ｋ２１  ジャック
ｋ２２  嵌合壁
ｋ３  胴ベルト
ｋ４  首ベルト
ｋ５  フック
２ｂ  電気部品装着板
２ｂ１  回路基板
２ｂ２  ファン取付手段
２ｂ３  フック
ＦＮ１１  ファン本体
ＣＶ１１  カバー部
【図１】
2017154961.tif 000003
【図２Ａ】
2017154961.tif 000004
【図２Ｂ】
2017154961.tif 000005
【図２Ｃ】
2017154961.tif 000006
【図３】
2017154961.tif 000007
【図４】
2017154961.tif 000008
【図５】
2017154961.tif 000009
【図６】
2017154961.tif 000010
【図７】
2017154961.tif 000011
【図８】
2017154961.tif 000012
【図９】
2017154961.tif 000013
【図１０】
2017154961.tif 000014
【図１１Ａ】
2017154961.tif 000015
【図１１Ｂ】
2017154961.tif 000016
【図１２】
2017154961.tif 000017
【図１３】
2017154961.tif 000018
【図１４】
2017154961.tif 000019
【図１５Ａ】
2017154961.tif 000020
【図１５Ｂ】
2017154961.tif 000021
【図１６】
2017154961.tif 000022
【図１７】
2017154961.tif 000023
【図１８】
2017154961.tif 000024
【図１９Ａ】
2017154961.tif 000025
【図１９Ｂ】
2017154961.tif 000026
【図２０】
2017154961.tif 000027
【図２１】
2017154961.tif 000028
【図２２】
2017154961.tif 000029
【図２３】
2017154961.tif 000030
【図２４Ａ】
2017154961.tif 000031
【図２４Ｂ】
2017154961.tif 000032
【図２５Ａ】
2017154961.tif 000033
【図２５Ｂ】
2017154961.tif 000034
【図２５Ｃ】
2017154961.tif 000035
【図２６】
2017154961.tif 000036
【図２７】
2017154961.tif 000037
【図２８】
2017154961.tif 000038
【図２９Ａ】
2017154961.tif 000039
【図２９Ｂ】
2017154961.tif 000040
【図２９Ｃ】
2017154961.tif 000041
【図３０】
2017154961.tif 000042
【図３１Ａ】
2017154961.tif 000043
【図３１Ｂ】
2017154961.tif 000044
【図３２】
2017154961.tif 000045
【図３３】
2017154961.tif 000046
【図３４Ａ】
2017154961.tif 000047
【図３４Ｂ】
2017154961.tif 000048
【図３５Ａ】
2017154961.tif 000049
【図３５Ｂ】
2017154961.tif 000050
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
ファン用開口孔を有する服本体と組み合わせて使用され胴体に巻き付けられる空調衣服用電気部品装着ユニットであって、
空気を外部から服本体内に取り込むためのファンと、
前記ファンに電力を供給するための電源部及び電源ケーブルと、
前記ファン、前記電源部及び前記電源ケーブルを胴体に装着するための装着手段と、
を備え、
前記ファンには前記ファン用開口孔と連結するためのファン側連結部が形成され、
前記ファンは、ファン本体と、前記ファン本体を収容するためのカバー部と、を備え、
前記ファン側連結部は、前記カバー部に形成された筒状連結部であることを特徴とする空調衣服用電気部品装着ユニット。
【請求項２】
前記ファンを２つ有し、
前記２つのファンは、前記胴体の前側の左右に位置するように前記装着手段に取り付けられ、
前記筒状連結部の空気取込側に上部フランジを備えるとともに、当該上部フランジの空気送出側に下部フランジを備え、
前記上部フランジと前記下部フランジとの間に前記ファン用開口孔を有する前記服本体の開口縁部が嵌め込まれることを特徴とする請求項１に記載の空調衣服用電気部品装着ユニット。
【請求項３】
前記上部フランジの外径は、前記下部フランジの外径よりも小さいことを特徴とする請求項２に記載の空調衣服用電気部品装着ユニット。
【請求項４】
（削除）
【請求項５】
（削除）
【請求項６】
前記服本体は、前開き型の衣服であり、左右の前身頃を開閉する開閉手段を備え、
前記装着手段の両端がそれぞれ前記左右の前身頃に取り付けられることにより、前記服本体が当該装着手段の一部をなし、前記開閉手段が当該装着手段の接続手段をなすことを特徴とする請求項１に記載の空調衣服用電気部品装着ユニット。
【請求項７】
（削除）
【請求項８】
（削除）
【請求項９】
前記装着手段に前記ファンが取り付けられた際に、当該ファンを当該装着手段の長手方向に沿って移動可能とする移動可能手段を備えることを特徴とする請求項１〜３のいずれか一項に記載の空調衣服用電気部品装着ユニット。
【請求項１０】
前記ファンと前記電源ケーブルと前記電源部とが連結されることにより、前記装着手段の一部として機能することを特徴とする請求項１〜３のいずれか一項に記載の空調衣服用電気部品装着ユニット。
【請求項１１】
（削除）
【請求項１２】
ファン用開口孔を有する服本体と組み合わせて使用され身体に装着される空調衣服用電気部品装着ユニットであって、
空気を外部から服本体内に取り込むためのファンと前記ファンに電力を供給する電源部とが一体化されたユニット部と、
前記ユニット部を背中に背負うための背負いベルトと、
を備え、
前記ファンには前記ファン用開口孔と連結するための筒状連結部が形成され、
前記筒状連結部の空気取込側に上部フランジを備えるとともに、当該上部フランジの空気送出側に下部フランジを備え、
前記上部フランジと前記下部フランジとの間に前記ファン用開口孔を有する前記服本体の開口縁部が嵌め込まれることを特徴とする空調衣服用電気部品装着ユニット。
【請求項１３】
前記電源部は、空気排出部からの空気の流れを乱さないように前記ファンの円筒部と略同一平面上に配されることを特徴とする請求項１２に記載の空調衣服用電気部品装着ユニット。
【請求項１４】
前記電源部は、前記ファンを挿通可能なロの字型の容器と、前記ロの字型の容器に配置されるバッテリーと、を備えたことを特徴とする請求項１３に記載の空調衣服用電気部品装着ユニット。
【請求項１５】
前記ファンを１つ有し、
前記ユニット部は、モーターと電源部を密封容器に閉じ込め、前記モーターに前記ファンのプロペラを取り付けるための回転軸と軸受けとの気密性を高めることを特徴とする請求項１２〜１４のいずれか一項に記載の空調衣服用電気部品装着ユニット。
【請求項１６】
前記ユニット部は、
背中に背負う電気部品装着板と、
前記電気部品装着板に前記ファンを着脱自在に固定するファン取付手段と、を備えたことを特徴とする請求項１２〜１５のいずれか一項に記載の空調衣服用電気部品装着ユニット。
【請求項１７】
前記ファンの空気取込口の周辺には、外部から取り込む空気若しくは取り込まれた空気から体に有害な物質を除去する、当該空気に体に有用な物質を含ませる、もしくは、当該空気を冷却するための空気改善手段、又は、塵を浄化するための機能空間を備えていることを特徴とする請求項１２〜１６のいずれか一項に記載の空調衣服用電気部品装着ユニット。
【請求項１８】
ソーラーパネルを備え、
前記電源部には、前記ソーラーパネルによって発電した電気を使用又は蓄電するための蓄電手段が備えられていることを特徴とする請求項１２〜１７のいずれか一項に記載の空調衣服用電気部品装着ユニット。
【請求項１９】
外部装置と通信を行う通信手段と、
前記通信手段を制御して前記外部装置から受信した指示に基づき前記電源部のＯＮ／ＯＦＦ、及び／又は、前記ファンの回転数を制御する制御手段と、
を備えることを特徴とする請求項３、９、１０、１２〜１８のいずれか一項に記載の空調衣服用電気部品装着ユニット。
【請求項２０】
バイタル情報を測定する測定手段と、
前記測定手段の測定結果に基づき前記電源部のＯＮ／ＯＦＦ、及び／又は、前記ファンの回転数を制御する制御手段と、
を備えることを特徴とする請求項３、９、１０、１２〜１９のいずれか一項に記載の空調衣服用電気部品装着ユニット。
【請求項２１】
外部装置と通信を行う通信手段を備え、
前記制御手段は、前記通信手段を制御して前記測定手段の測定結果を外部装置に送信することを特徴とする請求項２０に記載の空調衣服用電気部品装着ユニット。
【請求項２２】
請求項１〜３、６、９、１０、１２〜２１のいずれか一項に記載の空調衣服用電気部品装着ユニットと、
前記ファン用開口孔を有するシート状素材で形成され、身体の少なくとも一部を覆う服本体と、
を備え、
前記ファンの前記筒状連結部を前記ファン用開口孔に嵌め込ませることを特徴とする空調衣服。
【請求項２３】
前記服本体の前記ファン用開口孔が形成された開口縁部の周辺は、伸縮性を有することを特徴とする請求項２２に記載の空調衣服。
【請求項２４】
請求項２又は３に記載の空調衣服用電気部品装着ユニットと、
前記ファン用開口孔を有するシート状素材で形成され、身体の少なくとも一部を覆う服本体と、
を備え、
前記ファンを前記服本体の前身頃に配置し、当該服本体の後ろ身頃と身体との間にスペーサを配することを特徴とする空調衣服。
【請求項２５】
請求項６に記載の空調衣服用電気部品装着ユニットと、
前記ファン用開口孔を有するシート状素材で形成され、身体の少なくとも一部を覆う服本体と、
を備え、
前記空調衣服用電気部品装着ユニットを構成する前記装着手段の両端が対応する前記服本体の開閉手段の近辺に取り付けられ、当該開閉手段を開状態から閉状態に移行させることにより、当該空調衣服用電気部品装着ユニットが身体に装着されることを特徴とする空調衣服。
【請求項２６】
前記服本体は、プラスチックフィルムで作製されたことを特徴とする請求項２２〜２５のいずれか一項に記載の空調衣服。
【請求項２７】
前記服本体は、空気排出部を備え、
前記空気排出部は、排出される空気の排出抵抗を調整するための排出抵抗調整手段を備えることを特徴とする請求項２２〜２６のいずれか一項に記載の空調衣服。
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
ファン用開口孔を有する服本体と組み合わせて使用され胴体に巻き付けられる空調衣服用電気部品装着ユニットであって、
空気を外部から服本体内に取り込むためのファンと、
前記ファンに電力を供給するための電源部及び電源ケーブルと、
前記ファン、前記電源部及び前記電源ケーブルを胴体に装着するための装着手段と、
を備え、
前記ファンには前記ファン用開口孔と連結するためのファン側連結部が形成され、
前記ファンは、ファン本体と、前記ファン本体を収容するためのカバー部と、を備え、
前記ファン側連結部は、前記カバー部に形成された筒状連結部であり、
前記筒状連結部の空気取込側に上部フランジを備えるとともに、当該上部フランジの空気送出側に下部フランジを備え、
前記上部フランジと前記下部フランジとの間に形成された溝に前記ファン用開口孔を有する前記服本体の開口縁部が嵌め込まれることを特徴とする空調衣服用電気部品装着ユニット。
【請求項２】
ファン用開口孔を有する服本体と組み合わせて使用され胴体に装着される空調衣服用電気部品装着ユニットであって、
空気を外部から服本体内に取り込むためのファンと、
前記ファンを胴体に装着するための装着手段と、
前記ファンを前記装着手段に取り付けるためのファン取付手段と、
前記ファンに電力を供給するための電源部と、
を備え、
前記ファンには前記ファン用開口孔と連結するための筒状連結部が形成され、
前記装着手段に前記ファンが取り付けられた際に、当該ファンを当該装着手段の長手方向に沿って移動可能とする移動可能手段を備えることを特徴とする空調衣服用電気部品装着ユニット。
【請求項３】
前記ファンを２つ有し、
前記２つのファンは、前記胴体の前側の左右に位置するように前記装着手段に取り付けられることを特徴とする請求項１又は２に記載の空調衣服用電気部品装着ユニット。
【請求項４】
（削除）
【請求項５】
（削除）
【請求項６】
前記上部フランジの外径は、前記下部フランジの外径よりも小さいことを特徴とする請求項１に記載の空調衣服用電気部品装着ユニット。
【請求項７】
（削除）
【請求項８】
（削除）
【請求項９】
前記服本体は、前開き型の衣服であり、左右の前身頃を開閉する開閉手段を備え、
前記装着手段の両端がそれぞれ前記左右の前身頃に取り付けられることにより、前記服本体が当該装着手段の一部をなし、前記開閉手段が当該装着手段の接続手段をなすことを特徴とする請求項１〜３、６のいずれか一項に記載の空調衣服用電気部品装着ユニット。
【請求項１０】
前記装着手段に前記ファンが取り付けられた際に、当該ファンを当該装着手段の長手方向に沿って移動可能とする移動可能手段を備えることを特徴とする請求項１、３、６のいずれか一項に記載の空調衣服用電気部品装着ユニット。
【請求項１１】
（削除）
【請求項１２】
前記ファンと前記電源ケーブルと前記電源部とが連結されることにより、前記装着手段の一部として機能することを特徴とする請求項１又は６に記載の空調衣服用電気部品装着ユニット。
【請求項１３】
ファン用開口孔を有する服本体と組み合わせて使用され身体に装着される空調衣服用電気部品装着ユニットであって、
空気を外部から服本体内に取り込むためのファンと前記ファンに電力を供給する電源部とが一体化されたユニット部と、
前記ユニット部を背中に背負うための背負いベルトと、
を備え、
前記ファンには前記ファン用開口孔と連結するための筒状連結部が形成され、
前記筒状連結部の空気取込側に上部フランジを備えるとともに、当該上部フランジの空気送出側に下部フランジを備え、
前記上部フランジと前記下部フランジとの間に前記ファン用開口孔を有する前記服本体の開口縁部が嵌め込まれることを特徴とする空調衣服用電気部品装着ユニット。
【請求項１４】
前記電源部は、空気排出部からの空気の流れを乱さないように前記ファンの円筒部と略同一平面上に配されることを特徴とする請求項１３に記載の空調衣服用電気部品装着ユニット。
【請求項１５】
前記電源部は、前記ファンを挿通可能なロの字型の容器と、前記ロの字型の容器に配置されるバッテリーと、を備えたことを特徴とする請求項１３又は１４に記載の空調衣服用電気部品装着ユニット。
【請求項１６】
前記ファンを１つ有し、
前記ユニット部は、モーターと電源部を密封容器に閉じ込め、前記モーターに前記ファンのプロペラを取り付けるための回転軸と軸受けとの気密性を高めることを特徴とする請求項１３〜１５のいずれか一項に記載の空調衣服用電気部品装着ユニット。
【請求項１７】
前記ユニット部は、
背中に背負う電気部品装着板と、
前記電気部品装着板に前記ファンを着脱自在に固定するファン取付手段と、を備えたことを特徴とする請求項１３〜１６のいずれか一項に記載の空調衣服用電気部品装着ユニット。
【請求項１８】
前記ファンの空気取込口の周辺には、外部から取り込む空気若しくは取り込まれた空気から体に有害な物質を除去する、当該空気に体に有用な物質を含ませる、もしくは、当該空気を冷却するための空気改善手段、又は、塵を浄化するための機能空間を備えていることを特徴とする請求項１３〜１７のいずれか一項に記載の空調衣服用電気部品装着ユニット。
【請求項１９】
ソーラーパネルを備え、
前記電源部には、前記ソーラーパネルによって発電した電気を使用又は蓄電するための蓄電手段が備えられていることを特徴とする請求項１３〜１８のいずれか一項に記載の空調衣服用電気部品装着ユニット。
【請求項２０】
外部装置と通信を行う通信手段と、
前記通信手段を制御して前記外部装置から受信した指示に基づき前記電源部のＯＮ／ＯＦＦ、及び／又は、前記ファンの回転数を制御する制御手段と、
を備えることを特徴とする請求項１〜３、６、９、１０、１２〜１９のいずれか一項に記載の空調衣服用電気部品装着ユニット。
【請求項２１】
バイタル情報を測定する測定手段と、
前記測定手段の測定結果に基づき前記電源部のＯＮ／ＯＦＦ、及び／又は、前記ファンの回転数を制御する制御手段と、
を備えることを特徴とする請求項１〜３、６、９、１０、１２〜２０のいずれか一項に記載の空調衣服用電気部品装着ユニット。
【請求項２２】
外部装置と通信を行う通信手段を備え、
前記制御手段は、前記通信手段を制御して前記測定手段の測定結果を外部装置に送信することを特徴とする請求項２１に記載の空調衣服用電気部品装着ユニット。
【請求項２３】
請求項１〜３、６、９、１０、１２〜２２のいずれか一項に記載の空調衣服用電気部品装着ユニットと、
前記ファン用開口孔を有するシート状素材で形成され、身体の少なくとも一部を覆う服本体と、
を備え、
前記ファンの前記筒状連結部を前記ファン用開口孔に嵌め込ませることを特徴とする空調衣服。
【請求項２４】
前記服本体の前記ファン用開口孔が形成された開口縁部の周辺は、伸縮性を有することを特徴とする請求項２３に記載の空調衣服。
【請求項２５】
請求項１〜３、６、９、１０、１２のいずれか一項に記載の空調衣服用電気部品装着ユニットと、
前記ファン用開口孔を有するシート状素材で形成され、身体の少なくとも一部を覆う服本体と、
を備え、
前記ファンを前記服本体の前身頃に配置し、当該服本体の後ろ身頃と身体との間にスペーサを配することを特徴とする空調衣服。
【請求項２６】
請求項９に記載の空調衣服用電気部品装着ユニットと、
前記ファン用開口孔を有するシート状素材で形成され、身体の少なくとも一部を覆う服本体と、
を備え、
前記空調衣服用電気部品装着ユニットを構成する前記装着手段の両端が対応する前記服本体の開閉手段の近辺に取り付けられ、当該開閉手段を開状態から閉状態に移行させることにより、当該空調衣服用電気部品装着ユニットが身体に装着されることを特徴とする空調衣服。
【請求項２７】
前記服本体は、プラスチックフィルムで作製されたことを特徴とする請求項２３〜２６のいずれか一項に記載の空調衣服。
【請求項２８】
前記服本体は、空気排出部を備え、
前記空気排出部は、排出される空気の排出抵抗を調整するための排出抵抗調整手段を備えることを特徴とする請求項２３〜２７のいずれか一項に記載の空調衣服。
【国際調査報告】
2017154961.tif 000051
2017154961.tif 000052
2017154961.tif 000053
2017154961.tif 000054